【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
少なくとも１つの送信機能を備える画像処理装置であって、
原稿を読み取る読取手段と、
前記読取手段が原稿を読み取って取得した画像データを送信する送信ジョブを実行する実行手段と、
前記少なくとも１つの送信機能に対する設定として、前記送信ジョブの送信結果を示す送信レポートを印刷しない第１設定を前記画像処理装置に設定可能な第１設定手段と、
前記送信ジョブに対する設定として、前記送信レポートを印刷する第２設定を前記送信ジョブに設定可能な第２設定手段と、
前記第１設定手段によって前記第１設定が設定され、且つ前記第２設定手段によって前記第２設定が設定された状態で送信ジョブを前記実行手段が実行することに応じて送信レポートを印刷する印刷手段と、
を有することを特徴とする画像処理装置。
【請求項２】
前記送信ジョブに対する前記第１設定及び前記第２設定は、当該送信ジョブの単位で有効となる設定であることを特徴とする請求項１に記載の画像処理装置。
【請求項３】
画像データを送信する送信機能を有する画像処理装置であって、
原稿を読み取る読取手段と、
前記読取手段が原稿を読み取って取得した画像データを送信する送信ジョブを実行する実行手段と、
前記送信ジョブの送信結果を示す送信レポートを印刷しない第１設定を、前記送信機能が選択されていない状態で第１画面を介して前記画像処理装置に設定可能な第１設定手段と、
前記送信レポートを印刷する第２設定を、前記送信機能が選択された状態で第２画面を介して前記送信ジョブに設定可能な第２設定手段と、
前記第１設定手段によって前記第１設定が設定され、且つ前記第２設定手段によって前記第２設定が設定された状態で送信ジョブを前記実行手段が実行することに応じて送信レポートを印刷する印刷手段と、
を有することを特徴とする画像処理装置。
【請求項４】
前記第２設定手段は、前記送信機能が選択された状態であって、且つ前記実行手段による前記送信ジョブの実行の前に、前記第２設定を設定可能であることを特徴とする請求項３に記載の画像処理装置。
【請求項５】
前記第１画面は、前記画像処理装置の設定機能が選択された状態で表示可能な画面であることを特徴とする請求項３又は４に記載の画像処理装置。
【請求項６】
画像データを送信する送信機能を備える画像処理装置であって、
原稿を読み取る読取手段と、
前記読取手段が原稿を読み取って取得した画像データを送信する送信ジョブを実行する実行手段と、
前記画像処理装置の機器設定として、前記送信ジョブの送信結果を示す送信レポートを印刷しない第１設定を前記画像処理装置に設定可能な第１設定手段と、
１つの送信ジョブに対する設定として、前記送信レポートを印刷する第２設定を前記送信ジョブに設定可能な第２設定手段と、
前記第１設定手段によって前記第１設定が設定され且つ前記第２設定手段によって前記第２設定が設定された状態で送信ジョブを前記実行手段が実行することに応じて送信レポートを印刷する印刷手段と、
を有することを特徴とする画像処理装置。
【請求項７】
前記画像処理装置の機器設定とは、複数回の前記送信ジョブの実行に対する設定であることを特徴とする請求項６に記載の画像処理装置。
【請求項８】
ファックスインターフェースを、更に有し、
前記送信機能は、前記ファックスインターフェースを介して前記画像データを送信する送信機能であることを特徴とする請求項１乃至７のいずれか１項に記載の画像処理装置。
【請求項９】
ファックスインターフェースと、
前記ファックスインターフェースとは異なるネットワークインターフェースと、を更に有し、
前記送信機能は、前記ネットワークインターフェースを介して前記画像データを送信する送信機能であることを特徴とする請求項１乃至７のいずれか１項に記載の画像処理装置。
【請求項１０】
画像処理装置であって、
原稿を読み取る読取手段と、
前記読取手段が原稿を読み取って取得した画像データを送信する送信ジョブを実行する実行手段と、
前記画像処理装置を管理する管理者によって設定される管理者設定として、前記送信ジョブの送信結果を示す送信レポートを印刷しない第１設定を前記画像処理装置に設定可能な第１設定手段と、
前記画像処理装置を使用するユーザによって設定されるユーザ設定として、前記送信レポートを印刷する第２設定を送信ジョブに設定可能な第２設定手段と、
前記第１設定手段によって前記第１設定が設定され且つ前記第２設定手段によって前記第２設定が設定された状態で送信ジョブを前記実行手段が実行することに応じて送信レポートを印刷する印刷手段と、
を有することを特徴とする画像処理装置。
【請求項１１】
ファックスインターフェースを、更に有し、
前記送信ジョブは、前記ファックスインターフェースを介して前記画像データを送信する送信ジョブであることを特徴とする請求項１０に記載の画像処理装置。
【請求項１２】
ファックスインターフェースと、
前記ファックスインターフェースとは異なるネットワークインターフェースと、を更に有し、
前記送信ジョブは、前記ネットワークインターフェースを介して前記画像データを送信する送信ジョブであることを特徴とする請求項１０に記載の画像処理装置。
【請求項１３】
前記管理者とは、管理者権限が設定されたユーザであることを特徴とする請求項１０乃至１２のいずれか１項に記載の画像処理装置。
【請求項１４】
前記第１設定手段は、前記送信レポートを印刷する第２設定と、前記送信レポートをエラー時に印刷する第３設定と、を更に設定可能であることを特徴とする請求項１乃至１３のいずれか１項に記載の画像処理装置。
【請求項１５】
表示部をさらに有し、
前記表示部は、印刷しないことを指示するための第１オブジェクトを少なくとも表示し、前記第１オブジェクトが選択されることにより、前記第１設定手段は前記第１設定を設定することを特徴とする請求項１，２，６，７，１０〜１３のいずれか１項に記載の画像処理装置。
【請求項１６】
少なくとも１つの送信機能を備える画像処理装置を制御する制御方法であって、
原稿を読み取る読取工程と、
前記読取工程で原稿を読み取って取得した画像データを送信する送信ジョブを実行する実行工程と、
前記少なくとも１つの送信機能に対する設定として、前記送信ジョブの送信結果を示す送信レポートを印刷しない第１設定を前記画像処理装置に設定可能な第１設定工程と、
前記送信ジョブに対する設定として、前記送信レポートを印刷する第２設定を前記送信ジョブに設定可能な第２設定工程と、
前記第１設定工程によって前記第１設定が設定され且つ前記第２設定工程によって前記第２設定が設定された状態で送信ジョブを前記実行工程が実行することに応じて送信レポートを印刷する印刷工程と、
を有することを特徴とする制御方法。
【請求項１７】
前記送信ジョブに対する前記第１設定及び前記第２設定は、当該送信ジョブの単位で有効となる設定であることを特徴とする請求項１６に記載の制御方法。
【請求項１８】
画像データを送信する送信機能を有する画像処理装置を制御する制御方法であって、
原稿を読み取る読取工程と、
前記読取工程で原稿を読み取って取得した画像データを送信する送信ジョブを実行する実行工程と、
前記送信ジョブの送信結果を示す送信レポートを印刷しない第１設定を、前記送信機能が選択されていない状態で第１画面を介して前記画像処理装置に設定可能な第１設定工程と、
前記送信レポートを印刷する第２設定を、前記送信機能が選択された状態で第２画面を介して前記送信ジョブに設定可能な第２設定工程と、
前記第１設定工程によって前記第１設定が設定され且つ前記第２設定工程によって前記第２設定が設定された状態で送信ジョブを前記実行工程が実行することに応じて送信レポートを印刷する印刷工程と、
を有することを特徴とする制御方法。
【請求項１９】
前記第２設定工程は、前記送信機能が選択された状態であって、且つ前記実行工程による前記送信ジョブの実行の前に、前記第２設定を設定可能であることを特徴とする請求項１８に記載の制御方法。
【請求項２０】
前記第１画面は、前記画像処理装置の設定機能が選択された状態で表示可能な画面であることを特徴とする請求項１８又は１９に記載の制御方法。
【請求項２１】
画像データを送信する送信機能を備える画像処理装置を制御する制御方法であって、
原稿を読み取る読取工程と、
前記読取工程で原稿を読み取って取得した画像データを送信する送信ジョブを実行する実行工程と、
前記画像処理装置の機器設定として、前記送信ジョブの送信結果を示す送信レポートを印刷しない第１設定を前記画像処理装置に設定可能な第１設定工程と、
１つの送信ジョブに対する設定として、前記送信レポートを印刷する第２設定を前記送信ジョブに設定可能な第２設定工程と、
前記第１設定工程によって前記第１設定が設定され且つ前記第２設定工程によって前記第２設定が設定された状態で送信ジョブを前記実行工程が実行することに応じて送信レポートを印刷する印刷工程と、
を有することを特徴とする制御方法。
【請求項２２】
前記画像処理装置の機器設定とは、複数回の前記送信ジョブの実行に対する設定であることを特徴とする請求項２１に記載の制御方法。
【請求項２３】
前記画像処理装置はファックスインターフェースを、更に有し、
前記送信機能は、前記ファックスインターフェースを介して前記画像データを送信する送信機能であることを特徴とする請求項２０乃至２２のいずれか１項に記載の制御方法。
【請求項２４】
前記画像処理装置は、ファックスインターフェースと、
前記ファックスインターフェースとは異なるネットワークインターフェースと、を更に有し、
前記送信機能は、前記ネットワークインターフェースを介して前記画像データを送信する送信機能であることを特徴とする請求項１６乃至２３のいずれか１項に記載の制御方法。
【請求項２５】
画像処理装置を制御する制御方法であって、
原稿を読み取る読取工程と、
前記読取工程で原稿を読み取って取得した画像データを送信する送信ジョブを実行する実行工程と、
前記画像処理装置を管理する管理者によって設定される管理者設定として、前記送信ジョブの送信結果を示す送信レポートを印刷しない第１設定を前記画像処理装置に設定可能な第１設定工程と、
前記画像処理装置を使用するユーザによって設定されるユーザ設定として、前記送信レポートを印刷する第２設定を前記送信ジョブに設定可能な第２設定工程と、
前記第１設定工程によって前記第１設定が設定され且つ前記第２設定工程によって前記第２設定が設定された状態で送信ジョブを前記実行工程が実行することに応じて送信レポートを印刷する印刷工程と、
を有することを特徴とする制御方法。
【請求項２６】
前記画像処理装置は、ファックスインターフェースを、更に有し、
前記送信ジョブは、前記ファックスインターフェースを介して前記画像データを送信する送信ジョブであることを特徴とする請求項２５に記載の制御方法。
【請求項２７】
前記画像処理装置は、ファックスインターフェースと、
前記ファックスインターフェースとは異なるネットワークインターフェースと、を更に有し、
前記送信ジョブは、前記ネットワークインターフェースを介して前記画像データを送信する送信ジョブであることを特徴とする請求項２５に記載の制御方法。
【請求項２８】
前記管理者とは、管理者権限が設定されたユーザであることを特徴とする請求項２５乃至２７のいずれか１項に記載の制御方法。
【請求項２９】
前記第１設定工程は、前記送信レポートを印刷する第２設定と、前記送信レポートをエラー時に印刷する第３設定と、を更に設定可能であることを特徴とする請求項１６乃至２８のいずれか１項に記載の制御方法。
【請求項３０】
前記画像処理装置は、表示部をさらに有し、
前記表示部は、印刷しないことを指示するための第１オブジェクトを少なくとも表示し、前記第１オブジェクトが選択されることにより、前記第１設定工程は前記第１設定を設定することを特徴とする請求項１６，１７，２１，２２，２５〜２８のいずれか１項に記載の制御方法。
【手続補正２】
【補正対象書類名】明細書
【補正対象項目名】発明の名称
【補正方法】変更
【補正の内容】
【発明の名称】画像処理装置とその制御方法
【手続補正３】
【補正対象書類名】明細書
【補正対象項目名】０００１
【補正方法】変更
【補正の内容】
【０００１】
本発明は、画像処理装置とその制御方法に関する。
【手続補正４】
【補正対象書類名】明細書
【補正対象項目名】００１０
【補正方法】変更
【補正の内容】
【００１０】
本発明の目的は、機器に対する送信レポートの印刷設定と、送信ジョブごとにユーザが設定できる送信レポートの印刷設定との運用を図る技術を提供することにある。
【手続補正５】
【補正対象書類名】明細書
【補正対象項目名】００１１
【補正方法】変更
【補正の内容】
【００１１】
上記目的を達成するために本発明の一態様に係る画像処理装置は以下のような構成を備える。即ち、
少なくとも１つの送信機能を備える画像処理装置であって、
原稿を読み取る読取手段と、
前記読取手段が原稿を読み取って取得した画像データを送信する送信ジョブを実行する実行手段と、
前記少なくとも１つの送信機能に対する設定として、前記送信ジョブの送信結果を示す送信レポートを印刷しない第１設定を前記画像処理装置に設定可能な第１設定手段と、
前記送信ジョブに対する設定として、前記送信レポートを印刷する第２設定を前記送信ジョブに設定可能な第２設定手段と、
前記第１設定手段によって前記第１設定が設定され、且つ前記第２設定手段によって前記第２設定が設定された状態で送信ジョブを前記実行手段が実行することに応じて送信レポートを印刷する印刷手段と、を有することを特徴とする。
【手続補正６】
【補正対象書類名】明細書
【補正対象項目名】００１２
【補正方法】変更
【補正の内容】
【００１２】
本発明によれば、ユーザは送信ジョブごとに送信レポートの印刷指示が可能となり、操作性を向上させることができる。また機器の設定を優先させたい場合は、送信ジョブごとの設定を許可しないようにできる。